(57)【要約】  【課題】  部品の交換なしに色々なサイズのバッテリを固定できるようにする。  【解決手段】  筐体１の正面１１から奥部に向けて奥行き方向に延在する状態で床面に固設する第１、第２の支持部材２Ａ、２Ｂと、バッテリ後面の角隅を係止させる係止片２２２を有し筐体１奥部の床面に固設する後側固定部材２２と、各種サイズのバッテリの奥行き寸法に合わせて第１、第２の支持部材２Ａ、２Ｂ間にそれぞれ設置した複数の前側固定部材２３，２４と、バッテリ前面の角隅を係止させる係止片２５３を有するとともにいずれかの前側固定部材２３，２４に止め付ける止着部材２５とを有し、寸法の異なる各種のバッテリを固定して据付ける固定手段２を備えた。【選択図】  図３
2005056795.tif 000002
【特許請求の範囲】
【請求項１】
固定手段により筐体内部に電子機器を収納する電子機器の収納装置において、
前記固定手段は、
平面形状を有する上面と立ち上がった起立面とを有し前記筐体の前記筐体内部の正面から奥行き方向に延在する状態で床面に固設する第１の支持部材と、
平面形状を有する上面を有し前記筐体の前記筐体内部の正面から奥行き方向に延在する状態で床面に固設する第２の支持部材と、
前記バッテリ後面の角隅を係止させる係止片を有し前記筐体奥部の前記床面に固設する後側固定部材と、
前記収納すべき各種サイズのバッテリの奥行き寸法に合わせて前記第１及び第２の支持部材間にそれぞれ設置した複数の前側固定部材と、
前記バッテリ前面の角隅を係止させる係止片を有し、前記いずれかの前側部材に対して止着ける止着部材と
を有する電子機器の収納装置。
【請求項２】
前記後側固定部材、前側固定部材及び前記止着部材には、前記バッテリの外周に掛け回して前記後側固定部材、前側固定部材及び前記止着部材に一体に固定するベルト状の掛け回し具を通過させる切り欠きを有する請求項１記載の電子機器の収納装置。
【請求項３】
前記筐体正面の開口部の幅方向に架設するパネル部材と、
前記パネル部材と前記筐体の少なくとも左右両面のうちのいずれか一方との間に、前記パネル部材を開閉自在に支持するとともに前記パネル部材を開放させた状態のときに前記パネル部材が脱出可能となる回動支持手段と
を備える請求項１又は２記載の電子機器の収納装置。
【請求項４】
前記回動支持手段は、
回動軸を有し前記左右両面のうちのいずれか一方に上下方向に固設する柱状部材と、
前記回動軸に上から落とし込ませて回動自在に軸装する回動孔を有し、前記パネル部材を所定の角度開放させたときに前記柱状部材から引き上げて脱出させる前記パネル部材に設けた着脱部と
を有する請求項３記載の電子機器の収納装置。
【請求項５】
前記筐体の正面側の開口部を閉じる開閉扉に近接スイッチを備え、前記開閉扉を閉じると電子機器の収納装置本体の電源が入る構成を有する請求項１から４のいずれか１項記載の電子機器の収納装置。
【発明の詳細な説明】
【技術分野】
【０００１】
本発明は、筐体内部に電子機器とバッテリを固定して収納する電子機器の収納装置に関するものである。
【背景技術】
【０００２】
近年、各種の目的用途に応じた各種の電子機器が屋外で使用されるようになっているが、これらの電子機器は、屋外に設置された筐体（以下、これを「電子機器の収納装置」とよぶ）内部に収納されて使用される。このような電子機器の収納装置内部としては、電源用或いは商用電源のバックアップ（無停電；ＵＰＳ）用として、バッテリを同時に収納するものが広く普及している。
【０００３】
このようにバッテリを収納させる電子機器の収納装置の内部には、バッテリを安定した状態で確実に固定しておくために、通常、床面などの下部側にバッテリの寸法に合わせた専用の固定手段などが設けてある（例えば、特許文献１参照）。
【特許文献１】特開平８−２１３７８４号公報（段落［００３７］、図１（Ｃ）、図２）
【発明の開示】
【発明が解決しようとする課題】
【０００４】
ところで、収納している電子機器の増設などを行うと、消費電力の増大に対応した大容量のバッテリに交換が必要となる場合があるが、一般に、大容量バッテリほどサイズも大きくなる。
【０００５】
ところが、一般に、このバッテリを固定する固定手段は、設置するバッテリサイズに合わせて専用のものが設けられていた。従って、バッテリサイズが変化すると、固定手段自体もそのサイズに見合ったものに交換せざるを得ない。このような事情から、バッテリを交換する場合には、同時に固定手段も交換が必要となっている。
【０００６】
本発明は、上記した事情に鑑みてなされたもので、部品の交換なしに色々なサイズのバッテリを固定することができる電子機器の収納装置を提供することを目的とするものである。
【課題を解決するための手段】
【０００７】
本発明の電子機器の収納装置は、固定手段により筐体内部に電子機器を収容する電子機器の収納装置において、
前記固定手段が、
平面形状を有する上面と立ち上がった起立面とを有し前記筐体の前記筐体内部の正面から奥行き方向に延在する状態で床面に固設する第１の支持部材と、
平面形状を有する上面を有し前記筐体の前記筐体内部の正面から奥行き方向に延在する状態で床面に固設する第２の支持部材と、
前記バッテリ後面の角隅を係止させる係止片を有し前記筐体奥部の前記床面に固設する後側固定部材と、
前記収納すべき各種サイズのバッテリの奥行き寸法に合わせて前記第１及び第２の支持部材間にそれぞれ設置した複数の前側固定部材と、
前記バッテリ前面の角隅を係止させる係止片を有し、前記いずれかの前側部材に対して止着ける止着部材とを有する構成となっている。
【０００８】
これにより、バッテリを固定する場合にそのサイズに合わせた専用の固定用部品などを必要としない、換言すれば、色々なサイズのバッテリを固定することができる。このため、サイズの異なるバッテリでも部品の交換なしで固定できるようになる。
【０００９】
本発明の電子機器の収納装置は、前記後側固定部材、前側固定部材及び前記止着部材に、前記各種サイズの異なるバッテリの外周に掛け回して前記後側固定部材、前側固定部材及び前記止着部材に固定するベルト状の掛け回し具を通過させる切り欠きを有する構成となっている。
【００１０】
これにより、各種サイズの異なるバッテリでもその外周面をベルト状の掛け回し具でしっかりと固定させることができるので、バッテリをより安定した状態で筐体床面側に固定させることができるようになる。
【００１１】
また、本発明の電子機器の収納装置は、前記筐体正面の開口部の幅方向に架設するパネル部材と、
前記パネル部材と前記筐体の少なくとも左右両面のうちのいずれか一方との間に、前記パネル部材を開閉自在に支持するとともに前記パネル部材を開放させた状態のときに前記パネル部材が脱出可能となる回動支持手段とを備える構成となっている。
【００１２】
これにより、例えばバッテリを固定する固定手段の手前側において、パネル部材を配設する場合でも、パネル部材を開放させて回動支持部材から脱出させることで、大きく開放させた筐体正面の開口部からバッテリを容易に出し入れすることができる。
【００１３】
本発明の電子機器の収納装置は、前記回動支持手段が、
回動軸を有し前記左右両面のうちのいずれか一方に上下方向に固設する柱状部材と、
前記回動軸に上から落とし込ませて回動自在に軸装する回動孔を有し、前記パネル部材を所定の角度開放させたときに前記柱状部材から引き上げて脱出させる前記パネル部材に設けた着脱部とを有する構成となっている。
【００１４】
これにより、回動支持手段の柱状部材からパネル部材の着脱部を引き上げるだけの簡単な操作で、パネル部材を取り外すことができる。
【００１５】
本発明の電子機器の収納装置は、前記筐体の正面側の開口部を閉じる開閉扉に近接スイッチを備え、前記開閉扉を閉じると電子機器の収納装置本体の電源が入る構成を有している。
【００１６】
これにより、開閉扉を閉じると自動的に電源が入るので、開閉扉を閉じた後で電源を入れたか否かの確認を行う必要がなくなる。
【発明の効果】
【００１７】
本発明によれば、部品の交換なしに色々なサイズのバッテリを固定することができ、換言すれば各種サイズの異なるバッテリを同じ固定手段で兼用して固定できるので、例えばバッテリをサイズの異なるものに交換する場合に、そのサイズに合わせた専用の固定手段が個別に必要なくなる。
【発明を実施するための最良の形態】
【００１８】
以下、この発明に係る実施の形態について、添付図面を参照しながら詳細に説明する。
図１は、この発明の実施形態に係る電子機器の収納装置を示すものであり、この電子機器の収納装置は、支柱１０（図２参照）に適宜の締結手段１０Ａで固定されており、この収納装置の筐体１の開口する前面（正面）１１には、開閉扉Ｄを取付けている。
【００１９】
また、この筐体１には、内部の固定部（図１では筐体１内部の右下側の部分）に固定手段２を用いてバッテリＢを固定・収納している。また、このバッテリＢからは図示しない給電用のケーブルなどが後述する電子機器との間に配線されている。
【００２０】
この固定手段２は、筐体１床面上の開口する正面側から取り込むことができるように設けられており、本実施形態の標準バッテリ（Ｂ１）及び大容量バッテリ（Ｂ２）のように、収納すべきバッテリＢのサイズが異なるものでも固定して据付けることができるように構成されている。
そのため、本実施形態の固定手段２では、図３に示すように、上面が平面形状を有するとともに上面に立ち上がった起立面を有する断面略コ字型の第１の支持部材２Ａと、上面が平面形状を有する断面コ字型の第１の支持部材２Ｂと、断面逆Ｌ字型の後側固定部材２２と、バッテリの奥行き寸法（Ｄ１，Ｄ２）に合わせて設けた断面略Ｌ字型の第１前側固定部材２３及び第２前側固定部材２４と、横長薄板形状の止着部材２５と、掛け回し具２６（図４参照）とを備えている。
【００２１】
このうち、第１、第２の支持部材２Ａ，２Ｂは、筐体１内の床面に所定の距離Ｗだけ離間した状態で左右１対設けた構成のものであり、正面から奥部に向けて奥行き（Ｙ）方向に延設させている。第１の支持部材２Ａには、筐体１内の床面に固着する下面２１Ａと、下面２１Ａから９０度折曲されて床面に対して垂直に立ち上がった起立面２１Ｂと、起立面２１Ｂから９０度折曲されて床面に対して平行に配置された水平面２１Ｃとを備えている。一方、第２の支持部材２Ｂ（図３では右側）には、下面２１Ａと、起立面２１Ｂと、水平面２１Ｃとを備えているが、第１の支持部材２Ａのような水平面２１Ｃから立ち上がった起立面２１１は設けていない。
【００２２】
後側固定部材２２は、第１、第２の支持部材２Ａ，２Ｂの各起立面２１Ｂの最奥部側の端部間に設けてあり、下面２２Ａと、起立面２２Ｂと、水平面２２Ｃと、水平面２２Ｃから上方に立ち上がった折曲面２２１と、この折曲面２２１の一端部に設けた係止片２２２とを備えている。また、この後側固定部材２２には、起立面２２Ｂと水平面２２Ｃの間の角部に、後述するベルト状の掛け回し具２６を挿通することができる狭幅状の挿通孔（スリット）２２３を穿設させている。
【００２３】
前側固定部材２３、２４は、各バッテリＢ（本実施形態では、図１、４に示す標準バッテリＢ１と、図５、６に示す大容量バッテリＢ２との２種類）の前面側下部を止着部材２４と協働してしっかりと固定・支持するものである。
【００２４】
このうち、第１前側固定部材２３には、下面２３Ａと、起立面２３Ｂとを備えており、この起立面２３Ｂには、ベルト状の掛け回し具２６を通過させるために切欠２３１が中央部側に形成されている。また、この第１前側固定部材２３は、奥行き寸法がＤ１であるバッテリＢ１を固定させるために、図３に示すように、折曲面２２１からその距離Ｄ１だけ手前側に固設されており、切欠２３１両側の所定の位置には後述の止着部材２４との間で共締めするために（受け側）ねじ孔２３２を設けている。
【００２５】
第２前側固定部材２４も、下面２４Ａと、起立面２４Ｂとを備えており、この起立面２４Ｂには、ベルト状の掛け回し具を通過させるために切欠２４１が中央部側に形成されている。また、この前側固定部材２４は、奥行き寸法がＳ２であるバッテリＢ２を固定させるために、図３に示すように、折曲面２２１からその距離Ｓ２だけ手前側に固設されており、切欠２４１両側の所定の位置には止着部材２５との間で共締めするために（受け側）ねじ孔２４２を設けている。なお、この第２前側固定部材２４には、第１前側固定部材２３と止着部材２５とを共締めする際のねじを締め付けるドライバの先端側を差し込む治具用切欠２４３も形成されている。
【００２６】
また、この止着部材２５には、ベルト状の掛け回し具２６を通過させるために切欠２５１が中央部側に形成されているとともに、第１前側固定部材２３又は第２前側固定部材２４との共締めを行うために止め着け側のねじ孔２５２を設けているほか、図４及び図６に示すように、各種サイズのバッテリＢ１、Ｂ２の角隅部分を係止させる係止片２５３が形成されている。
【００２７】
ベルト状の掛け回し具２６は、各種サイズのバッテリＢ１、Ｂ２に掛け回して後側固定部材２２及び止着部材２５に固定するものであり、本実施形態では、後側固定部材２２の挿通孔２２３と、第１前側固定部材２３の切欠２３１又は第２前側固定部材２４の切欠２４１と、この第１前側固定部材２３又は第２前側固定部材２４と共締めする止着部材２５の切欠２５１とに挿通させて、これらにしっかりと固定するようになっている。なお、この掛け回し具２６から各種サイズのバッテリＢ１、Ｂ２を取外す場合には、締付金２６Ａを緩めれば、簡単に取外すことができる。
【００２８】
さらに、この筐体１には、図７において、側面のうち出入口近くの内面部分に、パネル部材Ｐを開閉自在に支持する回動支持手段３を付設している。
この回動支持手段３は、図８及び図９に示すように、筐体１の少なくとも左右両側壁面のうちのいずれか一方（図１では、向かって右側壁面）とパネル部材４との間に設置して、パネル部材Ｐを開閉自在に支持するものであり、側壁面に固設した第１ヒンジ部材３１と、この第１ヒンジ部材３１に軸支させる第２ヒンジ部材３２とで構成している。
【００２９】
このうち、第１ヒンジ部材３１は、図９（Ａ）において、側壁面に固着させた取付面３１Ａと、この取付面３１Ａから９０度折曲した折曲面３１Ｂとを有する断面略Ｌ字型に形成している。取付面３１Ａには、ストッパ部３１１を一部に形成しているとともに、上下両端部に垂直方向に突出する支持部３１２を設けている。また、この支持部３１２には、回動軸３１３を突設している。
一方、第２ヒンジ部材３２は、同じく図９（Ａ）において、ヒンジ面３２Ａとこれから９０度折曲したパネル部材４を螺着する取付面３２Ｂとを有しているが、ヒンジ面３２Ａの上下両端部には回動軸３１３に上から吊り込ませる受け部３２１を設けている。
なお、この第２ヒンジ部材３２は、図９（Ｂ）に示すように、パネル部材Ｐを開放させた状態のときに、第１ヒンジ部材３１から上に引き上げて取外すことが可能となっている。
【００３０】
また、この筐体１の内部には、図１及び図７に示すように、左右両側壁面にラック部材１２（図１及び図７では左側のみ示す）を上下方向に設置しており、このラック部材１２には、上下に積層して複数の電子機器、例えば本実施形態では、無線部４と、電源増幅部５と、受信制御部６とを配設しているが、このうち、無線部４と、電源増幅部５との間には、筐体１の上下方向の寸法を短縮させるとともに無線部４を容易に出し入れできるようにするため、スライド機構７が付設されている。
【００３１】
このスライド機構７は、図１２（Ａ）、（Ｂ）に示すように、電子機器のうち幅広の方の電子機器、例えば本実施形態では電源増幅部５を下部側に配置するとともに、下部側の電子機器である電源増幅部５のケーシング５１上面にスライドレール７１を設け、かつ、スライドレール７１に係合する係合部材７２を上側の電子機器、例えば本実施形態では無線部４のケーシング４１の底面４３に設けた構成となっている。本実施形態の係合部７２は、無線部４のケーシング４１のうち左右側面４２の最下部を底面４３よりも下方に延出させることで形成される突出部４２Ａで構成している。
【００３２】
一方、この筐体１と開閉扉Ｄとの間には、図７に示すように、磁気型の近接スイッチ８が設置されており、開閉扉を閉じると電子機器の収納装置本体の電源が入るとともに、開閉扉Ｄを開くと電子機器の電源が切れるように構成されている。このため、この近接スイッチ８は、筐体１側に設置されたスイッチ本体８１と、このスイッチ本体８１に対応する開閉扉Ｄ内部に設けたマグネット８２を備えている。このマグネット８２は、図１１に示すように、開閉扉ＤにハンドルＨ１を取付けるカギ用固定具Ｈ２に螺着されている。
【００３３】
また、この開閉扉Ｄには、マイク９が着脱自在に係止されており、カールコード９１を介してパネルＰ上面に設けたマイクコネクタ９２に接続されている。
このマイクコネクタ９２は、バッテリＢ設置作業の際の妨げにならず設置作業を容易に行なわせるとともに、開閉扉ＤとパネルＰとの間の隙間を最小寸法に押えるために、筐体１の内壁面の法線に対して若干出入り口寄りの角度θに傾斜させた構成となっており、本実施形態では３０度程度傾斜させてある。
【００３４】
次に、本実施形態の固定手段２を用いてサイズが異なるバッテリＢの設置方法について説明する。
【００３５】
Ａ．標準バッテリＢ１（図４参照）を設置する場合：
（１）図３において、開閉扉Ｄを開放させるとともにパネルＰを開き、開放された筐体１の下部床面側において、締付金２６Ａから解いた状態の掛け回し具２６を、後側固定部材２２の挿通孔２２３に挿通させて、前側固定部材２３の切欠２３１又は前側固定部材２４の切欠２４１の上に載置しておく。
（２）次に、標準バッテリＢ１を第１、第２の支持部材２Ａ，２Ｂの各水平面２１Ｃに沿って最奥部まで押し込み、背面を起立面２１１に押し付ける。
（３）そこで、前側固定部材２３と止着部材２５とのねじ孔が一致するように位置合わせしたならば、ねじを用いて共締めする。これにより、止着部材２５の係止片２５３が標準バッテリＢ１の角隅部分を受ける格好で密着する。
（４）最後に、標準バッテリＢ１の周囲を掛け回し具２６で掛け渡したのち、この掛け回し具２６を締付金２６Ａで締結させる。これにより、図１に示すように、標準バッテリＢ１が筐体１内部の床面側にしっかりと固定されるわけである。
【００３６】
Ｂ．大容量バッテリＢ２（図６参照）を設置する場合：
（１）の手順は、前述した標準バッテリＢ１を床面側に固定する場合の手順（１）と同じである。
（２）大容量バッテリＢ２を最奥部まで押し込むと、係止片２２２が大容量バッテリＢ２の角隅部分を受ける格好で密着する。
（３）そこで、前側固定部材２４と止着部材２５とのねじ孔が一致するように位置合わせしたならば、ねじを用いて共締めする。これにより、止着部材２５の係止片２５３が大容量バッテリＢ２の角隅部分を受ける格好で密着する。
（４）最後に、大容量バッテリＢ２の周囲を掛け回し具２６で掛け渡したのち、この掛け回し具２６を締付金２６Ａで締結させる。これにより、図５に示すように、大容量バッテリＢ２が筐体１内部の床面側にしっかりと固定される。
【産業上の利用可能性】
【００３７】
本発明の電子機器の収納装置は、部品の交換なしに色々なサイズのバッテリを固定することができ、換言すれば各種サイズの異なるバッテリを同じ固定手段で兼用して固定できるので、例えばバッテリをサイズの異なるものに交換する場合に、そのサイズに合わせた専用の固定手段が個別に必要なくなる効果を有し、筐体内部に電子機器とバッテリを固定して収納する電子機器の収納装置等に有用である。
【図面の簡単な説明】
【００３８】
【図１】本発明の電子機器の収納装置に標準バッテリを設置した状態を示す正面図
【図２】本発明の電子機器の収納装置の開閉扉を閉じた状態を示す斜視図
【図３】本発明の電子機器の収納装置に備えた固定手段を示す斜視図
【図４】本発明の固定手段に標準バッテリを固定した状態を示す斜視図
【図５】本発明の電子機器の収納装置に大容量バッテリを設置した状態を示す正面図
【図６】本発明の固定手段に大容量バッテリを固定した状態を示す斜視図
【図７】本発明の電子機器の収納装置に備えたパネル部材、マイク、近接スイッチなどを示す概略斜視図
【図８】本発明の電子機器の収納装置に備えたパネル部材を示す説明図
【図９】（Ａ）は本発明の電子機器の収納装置に備えたパネル部材を筐体に取付ける回動支持手段を示す分解斜視図、  （Ｂ）はそのパネル部材を筐体に取付けた状態を示す説明図
【図１０】（Ａ）は本発明の電子機器の収納装置に備えたパネル部材を閉鎖した状態のときの回動支持手段を示す説明図、  （Ｂ）は本発明の電子機器の収納装置に備えたパネル部材を開放した状態のときの回動支持手段を示す説明図
【図１１】本発明の電子機器の収納装置に取付ける開閉扉に付設したハンドル及び近接スイッチ用のマグネットを示す分解斜視図
【図１２】（Ａ）は本発明の電子機器の収納装置に内蔵する電子機器に設けたスライド機構を示す説明図  （Ｂ）は（Ａ）に示す電子機器をスライドさせた状態を示す説明図
【符号の説明】
【００３９】
１  電子機器の収納装置
１０  支柱
１０Ａ  締結手段
１１  前面(正面)
１２  ラック部材
２  固定手段
２Ａ  第１の支持部材
２Ｂ  第２の支持部材
２１Ａ  下面
２１Ｂ  起立面
２１Ｃ  水平面
２１１  起立面
２２  後側固定部材
２２Ａ  下面
２２Ｂ  起立面
２２Ｃ  水平面
２２１  折曲面
２２２  係止片
２２３  挿通孔（スリット）
２３  第１前側固定部材
２３Ａ  下面
２３Ｂ  起立面
２３１  切欠
２３２  （受け側）ねじ孔
２４  第２前側固定部材
２４Ａ  下面
２４Ｂ  起立面
２４１  切欠
２４２  （受け側）ねじ孔
２４３  治具用切欠
２５  止着部材
２５２  （止め着け側）ねじ孔
２５３  係止片
２６  掛け回し具
２６Ａ  締付金
３  回動支持手段
３１  第１ヒンジ部材
３１Ａ  取付面
３１Ｂ  折曲面
３１１  ストッパ部
３１２  支持部
３１３  回動軸
３２  第２ヒンジ部材
３２Ａ  ヒンジ面
３２Ｂ  取付面
３２１  受け部
４  無線部
４１  （無線部の）ケーシング
５  電源増幅部
５１  （電源増幅部の）ケーシング
６  受信制御部
７  スライド機構
７１  スライドレール
７２  係合部材
８  近接スイッチ
８１  スイッチ本体
８２  マグネット
９  マイク
９２  マイクコネクタ
Ｂ  バッテリ
Ｂ１  標準バッテリ
Ｂ２  大容量バッテリ
Ｄ  開閉扉
Ｐ  パネル部材
Ｄ１，Ｄ２  （バッテリの）奥行き寸法
Ｗ１，Ｗ２  （バッテリの）幅
【図１】
2005056795.tif 000003
【図２】
2005056795.tif 000004
【図３】
2005056795.tif 000005
【図４】
2005056795.tif 000006
【図５】
2005056795.tif 000007
【図６】
2005056795.tif 000008
【図７】
2005056795.tif 000009
【図８】
2005056795.tif 000010
【図９】
2005056795.tif 000011
【図１０】
2005056795.tif 000012
【図１１】
2005056795.tif 000013
【図１２】
2005056795.tif 000014